(57)【要約】【課題】電球ソケットにプロジェクターの向きを調節する手段がなくても投写画像の向きを調節することが可能なプロジェクターを提供する。【解決手段】光を射出する照明部５０Ｒ，５０Ｇ，５０Ｂと、光を画像情報に応じて変調する光変調部７０Ｒ，７０Ｇ，７０Ｂとを備えるプロジェクターであって、電球ソケットに対応する接続部１０と、光変調部７０Ｒ，７０Ｇ，７０Ｂを保持するとともに接続部１０に対して回転可能であるプロジェクター筐体部２０と、接続部１０に対するプロジェクター筐体部２０の回転範囲を、第１回転方向及び第２回転方向の両方の方向について規定する回転規定部３０とを備えるプロジェクター１００。【選択図】図１
2014063015.tif 000002
【特許請求の範囲】
【請求項１】
光を射出する照明部と、
前記照明部からの光を画像情報に応じて変調する光変調部とを備えるプロジェクターであって、
電球ソケットに対応する接続部と、
前記光変調部を保持するとともに、前記接続部に対して回転可能であるプロジェクター筐体部と、
前記接続部に対する前記プロジェクター筐体部の回転範囲を、第１回転方向及び前記第１回転方向とは逆の第２回転方向の両方の方向について規定する回転規定部とを備えることを特徴とするプロジェクター。
【請求項２】
請求項１に記載のプロジェクターにおいて、
前記回転規定部が規定する前記プロジェクター筐体部の回転範囲は、１８０°以上であることを特徴とするプロジェクター。
【請求項３】
請求項１又は２に記載のプロジェクターにおいて、
前記光変調部で変調された光を投写画像として投写する投写光学系をさらに備え、
前記光変調部で変調された光の中心軸は、前記投写光学系に入射する直前において前記プロジェクター筐体部の回転軸と一致することを特徴とするプロジェクター。
【請求項４】
請求項３に記載のプロジェクターにおいて、
前記投写光学系の光軸は、前記プロジェクター筐体部の回転軸と一致することを特徴とするプロジェクター。
【請求項５】
請求項１〜４のいずれかに記載のプロジェクターにおいて、
前記回転規定部は、前記接続部又は前記プロジェクター筐体部の一方に設けられたスリットと、前記接続部又は前記プロジェクター筐体部の他方に配置されたピンとを有することを特徴とするプロジェクター。
【請求項６】
請求項１〜５に記載のプロジェクターにおいて、
前記接続部は、ねじ込み式電球ソケットに対応することを特徴とするプロジェクター。
【請求項７】
請求項６に記載のプロジェクターにおいて、
前記接続部は、前記電球ソケットからの電流を前記接続部から前記プロジェクター筐体部内へと伝達する伝達部を有し、
前記伝達部は、前記プロジェクター筐体部が前記接続部に対して回転するのに追従可能であることを特徴とするプロジェクター。
【請求項８】
請求項６又は７に記載のプロジェクターにおいて、
前記第１回転方向は、前記ねじ込み式電球ソケットに前記プロジェクターをねじ込む回転方向であり、
前記第１回転方向に前記プロジェクター筐体部を回転させるために必要な力よりも、前記第２回転方向に前記プロジェクター筐体部を回転させるために必要な力の方が小さいことを特徴とするプロジェクター。
【発明の詳細な説明】
【技術分野】
【０００１】
本発明は、プロジェクター、特に電球ソケットに接続して用いるプロジェクターに関する。
【背景技術】
【０００２】
従来、電球ソケットに接続して用いるプロジェクターが知られている（例えば、引用文献１参照。）。従来のプロジェクターは、電球ソケットに対応する接続部を備える。
【０００３】
従来のプロジェクターによれば、電球ソケットに対応する接続部を備えるため、電球ソケットの存在する場所ならば、手軽に取り付けること及び使用することが可能となる。
【先行技術文献】
【特許文献】
【０００４】
【特許文献１】特開２００５−９９５８８号公報
【発明の概要】
【発明が解決しようとする課題】
【０００５】
しかしながら、従来のプロジェクターにおいては、電球ソケット側にプロジェクターの向きを調節する手段がない場合には、投写画像の向きを調節することができないという問題がある。
【０００６】
そこで本発明は、上記の問題を解決するためになされたものであり、電球ソケットにプロジェクターの向きを調節する手段がない場合でも投写画像の向きを調節することが可能なプロジェクターを提供することを目的とする。
【課題を解決するための手段】
【０００７】
［１］本発明のプロジェクターは、光を射出する照明部と、前記照明部からの光を画像情報に応じて変調する光変調部とを備えるプロジェクターであって、電球ソケットに対応する接続部と、前記光変調部を保持するとともに、前記接続部に対して回転可能であるプロジェクター筐体部と、前記接続部に対する前記プロジェクター筐体部の回転範囲を、第１回転方向及び前記第１回転方向とは逆の第２回転方向の両方の方向について規定する回転規定部とを備えることを特徴とする。
【０００８】
本発明のプロジェクターによれば、光変調部を保持するとともに、接続部に対して回転可能であるプロジェクター筐体部を備えるため、電球ソケットにプロジェクターの向きを調節する手段がない場合でも投写画像の向きを調節することが可能となる。
【０００９】
また、本発明のプロジェクターによれば、電球ソケットに対応する接続部を備えるため、電球ソケットの存在する場所ならば、手軽に取り付けること及び使用することが可能となる。
【００１０】
また、本発明のプロジェクターによれば、接続部に対するプロジェクター筐体部の回転範囲を規定する回転規定部を備えるため、電球ソケットと接続部との接続を維持したまま投写画像の向きを調整することが可能となる。
【００１１】
また、本発明のプロジェクターによれば、回転規定部を備えるため、電球ソケットにプロジェクターを取り付けるときに、プロジェクター筐体部が際限なく回転してしまうことを防止し、その結果、電球ソケットと接続部との接続が不全となるのを抑制することが可能となる。
【００１２】
なお、本明細書において「電球ソケット」とは、一般的な電球を取り付けるためのソケット全般のことをいう。このような電球ソケットとしては、内部側面にねじ山を有し、内部側面と内部底面とが電極になっているもの（いわゆるねじ込み式電球ソケット）が広く用いられているが、本発明のプロジェクターは、対応する接続部を用いることで、ねじ込み式電球ソケットのみならず他の種類の電球ソケット（例えば、引っ掛け式電球ソケット）にも広く適用することが可能である。
【００１３】
プロジェクター筐体部に保持された光変調部は、プロジェクター筐体部の回転とともに回転する。
【００１４】
［２］本発明のプロジェクターにおいては、前記回転規定部が規定する前記プロジェクター筐体部の回転範囲は、１８０°以上であることが好ましい。
【００１５】
このような構成とすることにより、プロジェクター筐体部の回転範囲を十分なものとし、投写画像の向きを自在に調整することが可能となる。
【００１６】
なお、プロジェクター筐体部の回転範囲が３６０°より小さい場合には、角度によってはプロジェクター筐体部の回転のみでは投写画像を見やすい状態にすることができない。しかしながら、光変調部で光変調を行う際に投写画像の向きを１８０°回転させることにより、プロジェクター筐体部の回転範囲を補い、投写画像を見やすい状態にすることが可能となる。
【００１７】
上記［２］の場合においては、回転規定部が規定するプロジェクター筐体部の回転範囲は、３６０°以下であることが好ましい。このような構成とすることにより、プロジェクターを電球ソケットに取り付けるとき及び電球ソケットから取り外すときにおいて、プロジェクター筐体部の回転量を少なくすることが可能となる。
【００１８】
［３］本発明のプロジェクターにおいては、前記光変調部で変調された光を投写画像として投写する投写光学系をさらに備え、前記光変調部で変調された光の中心軸は、前記投写光学系に入射する直前において前記プロジェクター筐体部の回転軸と一致することが好ましい。
【００１９】
このような構成とすることにより、プロジェクター筐体部を回転させたときにおいて、投写画像の中心が移動してしまうのを防止することが可能となる。
【００２０】
［４］本発明のプロジェクターにおいては、前記投写光学系の光軸は、前記プロジェクター筐体部の回転軸と一致することが好ましい。
【００２１】
このような構成とすることにより、プロジェクター筐体部を回転させたときにおいて、投写画像の中心や焦点が移動してしまうのを防止することが可能となる。
【００２２】
念のために記載しておくと、上記の場合においては、投写光学系はプロジェクター筐体部に保持されており、投写光学系はプロジェクター筐体部の回転とともに回転する。
【００２３】
［５］本発明のプロジェクターにおいては、前記回転規定部は、前記接続部又は前記プロジェクター筐体部の一方に設けられたスリットと、前記接続部又は前記プロジェクター筐体部の他方に配置されたピンとを有することが好ましい。
【００２４】
このような構成とすることにより、スリット及びピンを用いた簡易な構成でプロジェクター筐体部の回転範囲を規定することが可能となる。
【００２５】
なお、上記［５］の場合においては、スリットは、スリット内面の一部又は全部に山谷形状の刻みを有し、ピンは、前記山谷形状に対応する突出部を有することも好ましい（後述する実施形態２参照。）。このような構成とすることにより、規定の角度（山谷形状の間隔により規定される角度）ずつプロジェクター筐体部を回転させることが可能となる。
【００２６】
［６］本発明のプロジェクターにおいては、前記接続部は、ねじ込み式電球ソケットに対応することが好ましい。
【００２７】
このような構成とすることにより、プロジェクターを、広く使われているねじ込み式電球ソケットに接続して用いることが可能となる。
【００２８】
また、プロジェクター筐体部が接続部に対して回転可能に構成されているため、プロジェクター筐体部に多少の力がかかっても、電球ソケットと接続部との間の接続が緩んでしまうのを抑制することが可能となる。
【００２９】
［７］本発明のプロジェクターにおいては、前記接続部は、前記電球ソケットからの電流を前記接続部から前記プロジェクター筐体部内へと伝達する伝達部を有し、前記伝達部は、前記プロジェクター筐体部が前記接続部に対して回転するのに追従可能であることが好ましい。
【００３０】
このような構成とすることにより、プロジェクター筐体部を回転させたときに伝達部を破損させてしまうのを抑制することが可能となる。
【００３１】
上記のような伝達部としては、例えば、コイル状に巻かれた金属線からなる伝達部や、長さに余裕を持たせた金属線からなる伝達部を挙げることができる。
【００３２】
［８］本発明のプロジェクターにおいては、前記第１回転方向は、前記ねじ込み式電球ソケットに前記プロジェクターをねじ込む回転方向であり、前記第１回転方向に前記プロジェクター筐体部を回転させるために必要な力よりも、前記第２回転方向に前記プロジェクター筐体部を回転させるために必要な力の方が小さいことが好ましい。
【００３３】
このような構成とすることにより、プロジェクター筐体部を回転させて投写画像の向きを調整するときに、電球ソケットと接続部との間の接続が緩んでしまうのを抑制することが可能となる。
【００３４】
なお、上記［８］を実現するための構造としては、スリットは、スリット内面の一部又は全部に山谷形状の刻みを有し、ピンは、前記山谷形状に対応する突出部を有し、前記山谷形状は、第１回転方向側の斜面の傾斜角度が大きく第２方向側の斜面の傾斜角度が小さい形状（のこぎり歯のような形状）からなるものを挙げることができる（後述する実施形態３参照。）。
【図面の簡単な説明】
【００３５】
【図１】実施形態１に係るプロジェクター１００を説明するために示す図。
【図２】実施形態１における回転規定部３０を説明するために示す図。
【図３】実施形態１に係るプロジェクター１００を電球ソケット２００に接続する様子を示す図。
【図４】実施形態１におけるプロジェクター筐体部２０を回転させて投写画像Ｐの向きを調整する様子を示す図。
【図５】実施形態２における回転規定部１１０を説明するために示す図。
【図６】実施形態３における回転規定部１２０を説明するために示す図。
【発明を実施するための形態】
【００３６】
以下、本発明のプロジェクターの実施形態について説明する。
【００３７】
［実施形態１］
まず、実施形態１に係るプロジェクター１００の構成について説明する。
【００３８】
図１は、実施形態１に係るプロジェクター１００を説明するために示す図である。図１（ａ）はプロジェクター１００の正面図であり、図１（ｂ）はプロジェクター１００の側面図であり、図１（ｃ）は図１（ｂ）におけるＡ−Ａ断面図である。なお、図１（ｃ）においては、プロジェクター１００の構成要素のうち、本発明に関連しない構成要素は記載していない。
図２は、実施形態１における回転規定部３０を説明するために示す図である。図２（ａ）はピン３４がスリット３２の中心にあるときの拡大図であり、図２（ｂ）はピン３４がスリット３２の第１回転方向側末端にあるときの拡大図であり、図２（ｃ）はピン３４がスリット３２の第２回転方向側末端にあるときの拡大図である。図２（ｂ）の符号１で示す矢印は第１回転方向にピン３４が移動することを表し、図２（ｃ）の符号２で示す矢印は第２回転方向にピン３４が移動することを表す。
【００３９】
プロジェクター１００は、図１に示すように、接続部１０と、プロジェクター筐体部２０と、回転規定部３０と、電源部４０と、照明部５０Ｒ，５０Ｇ，５０Ｂと、平行化光学系６０Ｒ，６０Ｇ，６０Ｂと、光変調部７０Ｒ，７０Ｇ，７０Ｂと、クロスダイクロイックプリズム８０と、投写光学系９０とを備える。
【００４０】
接続部１０は、外部から電流を供給する電球ソケットに対応する。さらにいえば、接続部１０は、先端部に位置する第１接点部１２と、らせん状のねじ山（右ねじ）が形成されている第２接点部１４を有し、Ｅ２６で規定されるねじ込み式電球ソケットに対応する。なお、電球ソケットに対応する接続部を用いることで、本発明のプロジェクターは種々の電球ソケット（例えば、Ｅ２６以外のねじ込み式電球ソケットや引っ掛け式電球ソケット）に対応することができる。
【００４１】
接続部１０は、電球ソケットからの電流を接続部１０からプロジェクター筐体部２０内の電源部４０へと伝達する伝達部１６，１７（図示せず。）をさらに有する。伝達部１６，１７は、プロジェクター筐体部２０が接続部１０に対して回転するのに追従可能である。伝達部１６，１７は、コイル状に緩く巻いた金属線からなる。なお、実施形態１において、伝達部１６が伝達するのは、図１（ｃ）に示すように、第１接点部１２からの電流であり、伝達部１７が伝達するのは第２接点部１４からの電流である。
【００４２】
プロジェクター筐体部２０は、プロジェクター１００の光変調部７０Ｒ，７０Ｇ，７０Ｂ等の主要部を収納する筐体であり、接続部１０に対して回転軸２０ａｘを中心として回転可能である。
プロジェクター筐体部２０は、ラッパ状のカバー２２を有する。カバー２２の形状は、プロジェクターとしての機能を損なわない限りにおいて、種々の形状を選択することができる。
【００４３】
回転規定部３０は、接続部１０に対するプロジェクター筐体部２０の回転範囲を、第１回転方向（実施形態１においては右回り）及び第１回転方向とは逆の第２回転方向（左回り）の両方の方向について規定する。回転規定部３０が規定するプロジェクター筐体部２０の回転範囲は、１８０°である。なお、使用状況や環境等の要因に適合するならば、上記した回転範囲は１８０°より小さくてもよく、１８０°より大きくてもよい。しかしながら、一般的な使用状況等を考えると、投写画像の向きを（投写画像そのものの向きを調節することも含めて）３６０°に渡って調整可能であることが好ましく、プロジェクター筐体部２０の回転範囲は１８０°以上であることが好ましい。
【００４４】
回転規定部３０は、図１及び図２に示すように、接続部１０に設けられたスリット３２と、プロジェクター筐体部２０に配置されたピン３４とを有する。スリット３２及びピン３４は２組あり、プロジェクター筐体部２０の回転範囲を１８０°とするために、それぞれの組で段違いとなるように配置されている（図１（ａ）及び図１（ｃ）参照。）。
なお、回転規定部３０は、プロジェクター筐体部に設けられたスリットと、接続部に配置されたピンとを有するものであってもよい。また、ピンとスリットは１組であってもよいし、３組以上であってもよい。
【００４５】
ピン３４がスリット３２の中央付近にあるとき（図２（ａ）参照。）、プロジェクター筐体部２０を第１回転方向（右回り）に回していくと、ピン３４がスリット３２の第１回転方向側末端（右端）に突き当たる。このため、回転規定部３０はプロジェクター筐体部２０の回転範囲を第１回転方向について規定することになる（図２（ｂ）参照。）。また、プロジェクター筐体部２０を第２回転方向（左回り）に回していくと、ピン３４がスリット３２の第２回転方向側末端（左端）に突き当たる。このため、回転規定部３０はプロジェクター筐体部２０の回転範囲を第２回転方向について規定することになる（図２（ｃ）参照。）。このようにして、回転規定部３０は、接続部１０に対するプロジェクター筐体部２０の回転範囲を、第１回転方向及び第２回転方向の両方の方向について規定する。
【００４６】
以下に説明する電源部４０〜投写光学系９０までの構成要素は、プロジェクター筐体部２０内に配置されている。
電源部４０は、電球ソケットから接続部１０を介して送られてきた電流を、プロジェクター１００の駆動用電流として使いやすいようにする装置からなる。こうした電源部４０の構成は広く知られているため、ここでの詳細な説明は省略する。
【００４７】
照明部５０Ｒ，５０Ｇ，５０Ｂは、光を射出する。さらにいえば、照明部５０Ｒは赤色光を射出し、照明部５０Ｇは緑色光を射出し、照明部５０Ｂは青色光を射出する。各照明部で用いることができる光源としては、発光ダイオード（ＬＥＤ）、半導体レーザー（ＬＤ）、有機ＥＬ（ＯＬＥＤ）、メタルハライドランプ、高圧水銀ランプ、超高圧水銀ランプを例示することができる。
【００４８】
平行化光学系６０Ｒ，６０Ｇ，６０Ｂは、それぞれ対応する照明部５０Ｒ，５０Ｇ，５０Ｂからの光を略平行光とする。このような光学系は広く知られているため、ここでの詳細な説明は省略する。なお、必要であれば照明部５０Ｒ，５０Ｇ，５０Ｂからの光を均一化する均一化光学系をさらに用いることもできる。
【００４９】
光変調部７０Ｒ，７０Ｇ，７０Ｂは、それぞれ対応する照明部５０Ｒ，５０Ｇ，５０Ｂからの光を画像情報に応じて変調する。光変調部７０Ｒ，７０Ｇ，７０Ｂは、一対の透明なガラス基板に電気光学物質である液晶を密閉封入した液晶型の光変調装置であり、照明部５０Ｒ，５０Ｇ，５０Ｂからの光を画像情報に応じて変調する透過型の光変調装置である。光変調部７０Ｒ，７０Ｇ，７０Ｂは、矩形の画像形成領域を備えており、この画像形成領域は、例えば、ポリシリコンＴＦＴをスイッチング素子として、与えられた画像情報に応じて光の偏光の方向を変調して画像を形成する。また、光変調部７０Ｒ，７０Ｇ，７０Ｂは、プロジェクター筐体部２０に保持されている。つまり、光変調部７０Ｒ，７０Ｇ，７０Ｂは、プロジェクター筐体部２０に直接又は間接的に固定されており、プロジェクター筐体部２０の回転とともに回転する。なお、図示を省略したが、光変調部７０Ｒ，７０Ｇ，７０Ｂの前後には入射側偏光板及び射出側偏光板が介在配置される。これら入射側偏光板、各光変調部及び射出側偏光板によって、入射した各色光の光変調が行われる。
【００５０】
クロスダイクロイックプリズム８０は、色光毎に変調された光学像を合成してカラー画像を形成する光学素子である。このクロスダイクロイックプリズム８０は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。クロスダイクロイックプリズム８０から射出された光（カラー画像）の中心軸は、プロジェクター筐体部２０の回転軸２０ａｘと一致する。つまり、光変調部７０Ｒ，７０Ｇ，７０Ｂで変調された光の中心軸は、投写光学系９０に入射する直前においてプロジェクター筐体部２０の回転軸２０ａｘと一致する。
【００５１】
投写光学系９０は、光変調部７０Ｒ，７０Ｇ，７０Ｂで変調された光を投写画像として投写する。投写光学系９０は、図１（ｃ）に示すように、光変調部７０Ｒ，７０Ｇ，７０Ｂの後段に配置されている。また、投写光学系９０の光軸は、プロジェクター筐体部２０の回転軸２０ａｘと一致する。
投写光学系として好ましい構成については広く知られているため、図示及び詳細な説明は省略する。
【００５２】
次に、実施形態１に係るプロジェクター１００の使用方法を説明する。
【００５３】
図３は、実施形態１に係るプロジェクター１００を電球ソケット２００に接続する様子を示す図である。図３（ａ）はプロジェクター１００を電球ソケット２００に接続する直前の様子を示す図であり、図３（ｂ）はプロジェクター１００を電球ソケット２００にねじ込むときの様子を示す図であり、図３（ｃ）はプロジェクター１００を電球ソケット２００に接続した直後の様子を示す図である。なお、説明を容易にするために、電球ソケット２００は断面図として表示している。電球ソケット２００の表示については、次に記載する図４においても同様である。
【００５４】
図４は、実施形態１におけるプロジェクター筐体部２０を回転させて投写画像Ｐの向きを調整する様子を示す図である。図４（ａ）は電球ソケット２００に取り付けた直後のプロジェクター１００を示す図であり、図４（ｂ）は図４（ａ）におけるプロジェクター１００が投写対象Ｏに投写する投写画像Ｐの様子を示す図であり、図４（ｃ）はプロジェクター筐体部２０を適度に回転させたプロジェクター１００を示す図であり、図４（ｄ）は図４（ｃ）におけるプロジェクター１００が投写対象Ｏに投写する投写画像Ｐの様子を示す図である。
【００５５】
実施形態１に係るプロジェクター１００は、Ｅ２６で規定される電球ソケット２００に接続することで使用可能となる。実施形態１における電球ソケット２００は、例えば、天井のような面に設置されているため、電球ソケット２００に接続されたプロジェクター１００は、必然的に直下に向かって投写画像Ｐを投写することになる。以下、プロジェクター１００の接続方法を説明する。
まず、プロジェクター１００の接続部１０を電球ソケット２００に押し付ける（図３（ａ）参照。）。
次に、プロジェクター１００のプロジェクター筐体部２０を右回し（第１回転方向）に回転させる（図３（ｂ）参照。）。このとき、プロジェクター筐体部２０は接続部１０に対して回転可能であるため、プロジェクター筐体部２０を回転させても、初期段階ではプロジェクター筐体部２０が回転するのみで接続部１０は回転しない。プロジェクター筐体部２０を回転させ続けると、回転規定部３０のピン３４がスリット３２の第１回転方向側末端（右端）に突き当たり、その結果、プロジェクター筐体部２０を回転させる力が接続部１０にも伝達されるようになり、接続部１０も回転するようになる。
そして、接続部１０を電球ソケット２００に完全にねじ込むことにより、プロジェクター１００を電球ソケット２００に接続することができる（図３（ｃ）参照。）。
【００５６】
次に、プロジェクター１００による投写画像Ｐの調整方法を説明する。まず、電球ソケット２００に取り付けた直後のプロジェクター１００による投写画像Ｐの向きが視聴者に対して傾いた状態であったとする（図４（ｂ）参照。）。電球ソケット２００に取り付けた直後の回転規定部３０は、ピン３４がスリット３２の第１回転方向側末端に突き当たった状態であるため、プロジェクター１００は、この状態を起点として、第２回転方向（左回り）にその回転範囲分（１８０°）だけ回転可能な状態にある。このため、プロジェクター筐体部２０を第２回転方向に回転させ、投写画像Ｐの傾きを調整し、見やすい状態にすることができる（図４（ｄ）参照。）。
ピン３４がスリット３２の端部に突き当たらない限り、接続部１０には回転力がほとんどかからないため、プロジェクター１００と電球ソケット２００との間の接続は安定に維持されたままとなる。
【００５７】
ここで、プロジェクター筐体部２０の回転範囲が１８０°であるため、角度によってはプロジェクター筐体部２０の回転のみでは投写画像Ｐを見やすい状態にすることができない。しかしながら、光変調部７０Ｒ，７０Ｇ，７０Ｂで光変調を行う際に投写画像の向きを１８０°回転させることにより、プロジェクター筐体部２０の回転範囲を補い、投写画像Ｐを見やすい状態にすることが可能となる。なお、プロジェクター筐体部２０の回転範囲が３６０°以上であれば、光変調部７０Ｒ，７０Ｇ，７０Ｂで投写画像の向きを回転させる必要はない。
【００５８】
また、プロジェクター１００を電球ソケット２００から取り外すときは、上記した取り付け方法とは逆に、プロジェクター筐体部２０を左回し（第２回転方向）に回転させ続ければよい。この場合も、初期段階ではプロジェクター筐体部２０が回転するのみで接続部１０は回転しないが、回転規定部３０のピン３４がスリット３２の第２回転方向側末端（左端）に突き当たると、プロジェクター筐体部２０を回転させる力が接続部１０にも伝達されるようになり、接続部１０も回転するようになる。
【００５９】
次に、実施形態１に係るプロジェクター１００の効果を説明する。
【００６０】
実施形態１に係るプロジェクター１００によれば、接続部１０に対して回転可能であるプロジェクター筐体部２０を備えるため、電球ソケットにプロジェクター１００の向きを調節する手段がない場合でも投写画像Ｐの向きを調節することが可能となる。
【００６１】
また、実施形態１に係るプロジェクター１００によれば、電球ソケットに対応する接続部１０を備えるため、電球ソケットの存在する場所ならば、手軽に取り付けること及び使用することが可能となる。
【００６２】
また、実施形態１に係るプロジェクター１００によれば、接続部１０に対するプロジェクター筐体部２０の回転範囲を規定する回転規定部３０を備えるため、電球ソケットと接続部１０との接続を維持したまま投写画像Ｐの向きを調整することが可能となる。
【００６３】
また、実施形態１に係るプロジェクター１００によれば、回転規定部３０を備えるため、電球ソケットにプロジェクター１００を取り付けるときに、プロジェクター筐体部２０が際限なく回転してしまうことを防止し、その結果、電球ソケットと接続部１０との接続が不全となるのを抑制することが可能となる。
【００６４】
また、実施形態１に係るプロジェクター１００によれば、回転規定部３０が規定するプロジェクター筐体部２０の回転範囲が１８０°であるため、プロジェクター筐体部２０の回転範囲を十分なものとし、投写画像Ｐの向きを自在に調整することが可能となる。
【００６５】
また、実施形態１に係るプロジェクター１００によれば、回転規定部３０が規定するプロジェクター筐体部２０の回転範囲が３６０°以下であるため、プロジェクター１００を電球ソケットに取り付けるとき及び電球ソケットから取り外すときにおいて、プロジェクター筐体部２０の回転量を少なくすることが可能となる。
【００６６】
また、実施形態１に係るプロジェクター１００によれば、光変調部７０Ｒ，７０Ｇ，７０Ｂで変調された光の中心軸が、前記投写光学系９０に入射する直前においてプロジェクター筐体部２０の回転軸２０ａｘと一致するため、プロジェクター筐体部２０を回転させたときにおいて、投写画像Ｐの中心が移動してしまうのを防止することが可能となる。
【００６７】
また、実施形態１に係るプロジェクター１００によれば、投写光学系９０の光軸がプロジェクター筐体部２０の回転軸２０ａｘと一致するため、プロジェクター筐体部２０を回転させたときにおいて、投写画像Ｐの中心や焦点が移動してしまうのを防止することが可能となる。
【００６８】
また、実施形態１に係るプロジェクター１００によれば、回転規定部３０は、接続部１０に設けられたスリット３２と、プロジェクター筐体部２０に配置されたピン３４とを有するため、スリット及びピンを用いた簡易な構成でプロジェクター筐体部２０の回転範囲を規定することが可能となる。
【００６９】
また、実施形態１に係るプロジェクター１００によれば、接続部１０がねじ込み式電球ソケットに対応するため、プロジェクター１００を、広く使われているねじ込み式電球ソケットに接続して用いることが可能となる。
【００７０】
また、実施形態１に係るプロジェクター１００によれば、プロジェクター筐体部２０が接続部１０に対して回転可能に構成されているため、プロジェクター筐体部２０に多少の力がかかっても、電球ソケットと接続部１０との間の接続が緩んでしまうのを抑制することが可能となる。
【００７１】
また、実施形態１に係るプロジェクター１００によれば、接続部１０は、電球ソケットからの電流を接続部１０からプロジェクター筐体部２０内へと伝達する伝達部１６，１７を有し、伝達部１６，１７は、プロジェクター筐体部２０が接続部１０に対して回転するのに追従可能であるため、プロジェクター筐体部２０を回転させたときに伝達部１６，１７を破損させてしまうのを抑制することが可能となる。
【００７２】
［実施形態２］
図５は、実施形態２における回転規定部１１０を説明するために示す図である。図５は、図２（ａ）に対応する図である。
【００７３】
実施形態２に係るプロジェクター１０２（全体を図示せず。）は、基本的には実施形態１に係るプロジェクター１００と同様の構成を有するが、回転規定部の構成が実施形態１に係るプロジェクター１００の場合とは異なる。すなわち、実施形態２に係るプロジェクター１０２は、図５に示すように、スリット１１２及びピン１１４を有する回転規定部１１０を備える。
以下、実施形態２に係るプロジェクター１０２について、実施形態１に係るプロジェクター１００と異なる部分（つまり、回転規定部１１０）を説明する。
【００７４】
回転規定部１１０の基本的な構成及び役割は、実施形態１における回転規定部３０と同様であり、ピン１１４がスリット１１２の末端に突き当たることにより、プロジェクター筐体部２０（図示せず。）の回転を規定する。
スリット１１２は、スリット内面の一部（図５の紙面上側）に、第１回転方向側の斜面の傾斜角度と第２回転方向側の斜面の傾斜角度が等しい山谷形状の刻みを有する。
ピン１１４は、山谷形状に対応する突出部１１６を有する。なお、ピン１１４は、プロジェクター筐体部２０を回転させても、突出部１１６の向きが変わらないように配置されている。
【００７５】
上記のように、実施形態２に係るプロジェクター１０２は、回転規定部の構成が実施形態１に係るプロジェクター１００の場合とは異なるが、接続部１０（図示せず。）と、プロジェクター筐体部２０と、回転規定部１１０とを備えるため、実施形態１に係るプロジェクター１００と同様に、電球ソケットにプロジェクター１００の向きを調節する手段がなくても投写画像Ｐの向きを調節することが可能となる。
【００７６】
また、実施形態２に係るプロジェクター１０２によれば、スリット内面の一部に山谷形状の刻みを有するスリット１１２と、山谷形状に対応する突出部１１６を有するピン１１４とを有するため、規定の角度（山谷形状の間隔により規定される角度）ずつプロジェクター筐体部２０を回転させることが可能となる。
【００７７】
なお、実施形態２に係るプロジェクター１０２は、回転規定部の構成以外は実施形態１に係るプロジェクター１００と同様の構成を有するため、実施形態１に係るプロジェクター１００が有する効果のうち該当する効果をそのまま有する。
【００７８】
［実施形態３］
図６は、実施形態３における回転規定部１２０を説明するために示す図である。図６は、図２（ａ）及び図５に対応する図である。
【００７９】
実施形態３に係るプロジェクター１０４（全体を図示せず。）は、基本的には実施形態２に係るプロジェクター１０２と同様の構成を有するが、回転規定部の構成が実施形態２に係るプロジェクター１０２の場合とは異なる。すなわち、実施形態３に係るプロジェクター１０４は、図６に示すように、スリット１２２及びピン１２４を有する回転規定部１２０を備える。
以下、実施形態３に係るプロジェクター１０４について、実施形態２に係るプロジェクター１０２と異なる部分（つまり、回転規定部１２０）を説明する。
【００８０】
回転規定部１２０の基本的な構成及び役割は、実施形態２における回転規定部１１０と同様である。
スリット１２２における山谷形状は、第１回転方向側の斜面の傾斜角度が大きく、第２回転方向側の斜面の傾斜角度が小さい形状（のこぎり歯のような形状）からなる。
【００８１】
上記のような構成を有するため、実施形態３に係るプロジェクター１０４においては、第１回転方向にプロジェクター筐体部２０（図示せず。）を回転させるために必要な力よりも、第２回転方向にプロジェクター筐体部２０を回転させるために必要な力の方が小さくなる。
【００８２】
上記のように、実施形態３に係るプロジェクター１０４は、回転規定部の構成が実施形態２に係るプロジェクター１０２の場合とは異なるが、接続部１０（図示せず。）と、プロジェクター筐体部２０と、回転規定部１２０とを備えるため、実施形態２に係るプロジェクター１０２と同様に、電球ソケットにプロジェクター１００の向きを調節する手段がなくても投写画像Ｐの向きを調節することが可能となる。
【００８３】
また、実施形態３に係るプロジェクター１０４によれば、第１回転方向にプロジェクター筐体部２０を回転させるために必要な力よりも、第２回転方向にプロジェクター筐体部２０を回転させるために必要な力の方が小さいため、プロジェクター筐体部２０を回転させたときに接続部１０が緩んでしまうのを抑制することが可能となる。
【００８４】
なお、実施形態３に係るプロジェクター１０４は、回転規定部の構成以外は実施形態２に係るプロジェクター１０２と同様の構成を有するため、実施形態２に係るプロジェクター１０２が有する効果のうち該当する効果をそのまま有する。
【００８５】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００８６】
（１）上記実施形態において記載した各構成要素の寸法、個数、材質及び形状は例示であり、本発明の効果を損なわない範囲において変更することが可能である。
【００８７】
（２）上記各実施形態においては、光変調部７０Ｒ，７０Ｇ，７０Ｂとして液晶型の光変調装置を用いたが、本発明はこれに限定されるものではない。光変調部としては、一般に照明部からの光を画像情報に応じて変調するものであればよく、例えば、マイクロミラー型光変調装置等を用いてもよい。マイクロミラー型光変調装置としては、例えば、ＤＭＤ（デジタルマイクロミラーデバイス）（ＴＩ社の商標）を用いることができる。
【００８８】
（３）上記各実施形態においては、３つの光変調部７０Ｒ，７０Ｇ，７０Ｂを備えるプロジェクターを例示して説明したが、本発明はこれに限定されるものではない。１つ、２つ又は４つ以上の光変調部を用いたプロジェクターにも適用可能である。
【００８９】
（４）上記実施形態１においては、天井のような面に設置されている電球ソケット２００を用いたため、プロジェクター１００が直下に向かって投写画像Ｐを投写したが、本発明はこれに限定されるものではない。例えば、横向き又は斜めに設置されている電球ソケットを用いて、プロジェクター１００が横方向又は斜め方向の壁面等に向かって投写画像Ｐを投写するようにしてもよい。
【００９０】
（５）また、プロジェクター１００が横方向又は斜め方向に向かって投写画像Ｐを投写する場合には、投写画像Ｐの向き（プロジェクター１００の回転状態）を検知する検知部（例えば、加速度センサー）をプロジェクター１００がさらに備えることも好ましい。このような構成とすることにより、調整後の投写画像Ｐの向きが上下逆転（１８０°回転）した状態であった場合に、検知部でこれを検知して、投写画像Ｐの向きを自動的に補正することが可能となる。
【００９１】
（６）プロジェクター１００を電球ソケットに取り付けた直後に投写画像Ｐの向きを調整できるよう、電球ソケットからの電流の供給が開始された際に、調整用の投写画像を投写することが好ましい。調整用の投写画像としては、投写画像の輪郭が分かるような枠を含むことが好ましいが、単色無地の画像等、それ以外の画像であってもよい。なお、プロジェクター１００が、光変調部７０Ｒ，７０Ｇ，７０Ｂで光変調を行う際に投写画像の向きを１８０°回転させる機能を有していれば、調整用の投写画像は、上側と下側との識別ができなくても構わない。しかしながら、プロジェクター筐体部２０の回転範囲が３６０°以上であって、光変調部７０Ｒ，７０Ｇ，７０Ｂで投写画像の向きを１８０°回転させる機能を有していない場合には、上下の識別が可能な画像を調整用の投写画像として用いる必要がある。
【００９２】
（７）回転規定部の構成は、スリットとピンを用いた上記構成に限られず、様々な構成を採用することができる。例えば、接続部１０及びプロジェクター筐体部２０のそれぞれの外面を、所定の長さの糸状の部材で接続すれば、糸状の部材の長さによって任意の角度範囲に規定することができる。
【００９３】
（８）光変調部７０Ｒ，７０Ｇ，７０Ｂの画像形成領域が正方形である場合には、接続部１０に対するプロジェクター筐体部２０の回転範囲は、９０°以上であればよい。この場合には、電球ソケットに取り付けた直後のプロジェクター１００による投写画像Ｐの向きがどのような向きであっても、光変調部７０Ｒ，７０Ｇ，７０Ｂで投写画像の向きを９０°単位で回転させることにより、投写画像Ｐを見やすい状態に調整することが可能となる。
【００９４】
（９）プロジェクター筐体部２０を回転させて投写画像Ｐの向きを調整した後に、プロジェクター筐体部２０を接続部１０に対して固定させるロック機構を備えるようにしてもよい。
【符号の説明】
【００９５】
１０…接続部、１２…第１接点部、１４…第２接点部、１６…伝達部、２０…プロジェクター筐体部、２２…カバー、３０，１１０，１２０…回転規定部、３２，１１２，１２２…スリット、３４，１１４，１２４…ピン、４０…電源部、５０Ｒ，５０Ｇ，５０Ｂ…照明部、６０Ｒ，６０Ｇ，６０Ｂ…平行化光学系、７０Ｒ，７０Ｇ，７０Ｂ…光変調部、８０…クロスダイクロイックプリズム、９０…投写光学系、１００…プロジェクター、１１６，１２６…突出部、Ｏ…投写対象、Ｐ…投写画像
【図１】
2014063015.tif 000003
【図２】
2014063015.tif 000004
【図３】
2014063015.tif 000005
【図４】
2014063015.tif 000006
【図５】
2014063015.tif 000007
【図６】
2014063015.tif 000008